(57)【要約】【課題】子供を片手で抱いたまま容易に抱っこ紐を装着できる抱っこ紐付き背負いバッグを提供する。【解決手段】子供用の背負いバッグ本体１０の２本の肩紐１１にはそれぞれ雌型の第１バックル１７が備えられ、バッグ本体１０の底部１８には２本の幅広抱っこ紐２が取り付けられている。２本の幅広抱っこ紐２の先端部２４にはそれぞれ雄型の第２バックル２６が取り付けられている。背負いバッグ１を背負った子供を抱っこして、幅広抱っこ紐２を子供の股下を通して、第１バックル１７と第２バックル２６とを結合してループ状にした幅広抱っこ紐を抱っこしている人の肩にかければ、子供を抱っこしたまま抱っこ紐を装着することができる。【選択図】  図１
2014217452.tif 000002
【特許請求の範囲】
【請求項１】
２本の肩紐を備えた背負いバッグ、該背負いバッグの底面にその一端が固着された２本の
幅広抱っこ紐、上記背負いバッグの２本の肩紐にそれぞれ固着された２個の第１接続具、
および、上記２本の幅広抱っこ紐の先端部にそれぞれ固着された２個の第２接続具よりな
り、上記幅広抱っこ紐の長さは子供を対面して抱いた人の背中を一周して前で固定できる
長さとし、かつ、第１接続具と第２接続具とは互いに着脱自在に結合できる構造を備えて
いることを特徴とする抱っこ紐付き背負いバッグ。
【請求項２】
上記背負いバッグは、子供用の背負いバッグであることを特徴とする請求項１に記載の抱
っこ紐付き背負いバッグ。
【請求項３】
上記背負いバッグには、上記２本の幅広抱っこ紐を収納できるポケットが設けられている
ことを特徴とする請求項１または請求項２の何れかに記載の抱っこ紐付き背負いバッグ。
【請求項４】
上記２本の幅広抱っこ紐の上端部は、該幅広抱っこ紐の先端部が左右に分かれた状態にな
るように上記背負いバッグの底部に固着されていると共に、子供の臀部の半分を包み込む
ことができる程度の幅を有していることを特徴とする請求項１に記載の抱っこ紐付き背負
いバッグ。
【請求項５】
上記背負いバッグを子供が背中に背負った状態で子供を対面して抱き上げ、上記背負いバ
ッグのポケットから取り出した幅広抱っこ紐で子供の臀部を包み込み、幅広抱っこ紐の先
端部に取り付けられた第２接続具と背負いバッグの肩紐に取り付けられた第１接続具とを
結合した状態で肩にかけて子供を固定するように構成されていることを特徴とする請求項
１に記載の抱っこ紐付き背負いバッグ。
【発明の詳細な説明】
【技術分野】
【０００１】
本発明は、抱っこ紐付き背負いバッグ、特に、子供を抱っこする紐が付設された子供用の
背負いバックに関する。
【背景技術】
【０００２】
従来、リュックサックや背負い鞄に子供抱っこ用の補助具が取り付けられた背負いバッグ
は数多く知られている。例えば、特開平７−２１３３３８号公報には、リュックサックに
子守用のしょいこを一体的にとりつけ、子守をする人がこのリュックサックを背中に背負
い、しょいこを引き出して、胸前に抱いた子供を固定するようにしたリュックサックが開
示されている。
【０００３】
また、特開平９−３２７３２１号公報には、背負い鞄におんぶ紐兼抱っこ紐を取り付けた
もので、子供を胸前で抱っこする場合は、子守をする人がこの背負い鞄を背中に背負い、
子供を抱き上げて背負い鞄に取り付けた抱っこ紐で子供を固定するようにした背負い鞄が
開示されている。
【先行技術文献】
【特許文献】
【０００４】
【特許文献１】特開平７−２１３３３８号公報
【特許文献２】特開平９−３２７３２１号公報
【発明の概要】
【発明が解決しようとする課題】
【０００５】
上記の特開平７−２１３３３８号公報記載のリュックサックは、親が背負うリュックサッ
クであるので、子供を抱っこしている時に、リュックサックからしょいこを取り出すこと
ができない。従って、子供をだっこする前にリュックサックから子守用しょいこを取り出
して、子供を抱っこする為の下準備をしなくてはならないので、手間が大変であり、また
、時間がかかるという欠点がある。また、既に子供を抱っこしている場合には、一旦子供
を下ろしてから子供を抱っこする為の下準備をしなくてはならないので、子供を下ろすに
適当な場所がない場合には下準備が出来ない等の欠点がある。
【０００６】
上記特開平９−３２７３２１号公報記載の背負い鞄も上記特許文献１と同様に、親が背負
う鞄におんぶ紐兼抱っこ紐が取り付けられているので、子供をおんぶまたは抱っこする前
に鞄からおんぶ紐兼抱っこ紐を取りだして下準備しなければならないので、上記特許文献
１と同様な欠点がある。
【０００７】
本発明は、上記の欠点を改良し、子供を片手で抱いたまま容易に抱っこ紐を装着できる抱
っこ紐付き背負いバッグを提供することを目的とする。さらに、子供用バッグを子供に背
負わせた状態で子供を抱き上げ、片手で子供用バッグから抱っこ紐を取り出し、その抱っ
こ紐で子供を固定することができる抱っこ紐付き背負いバッグを提供することを他の目的
とする。
【課題を解決するための手段】
【０００８】
本発明の抱っこ紐付き背負いバッグは、２本の肩紐を備えた背負いバッグ、該背負いバッ
グの底面にその一端が固着された２本の幅広抱っこ紐、上記背負いバッグの２本の肩紐に
それぞれ固着された２個の第１接続具、および、上記２本の幅広抱っこ紐の先端部にそれ
ぞれ固着された２個の第２接続具よりなり、上記幅広抱っこ紐の長さは子供を対面して抱
いた人の背中を一周して前で固定できる長さとし、かつ、第１接続具と第２接続具とは互
いに着脱自在に結合できる構造を備えていることを特徴とする。幅広抱っこ紐の第２接続
具を取り付ける幅広抱っこ紐の先端部とは幅広抱っこ紐の突端は勿論の事、突端から少し
中に入ったところまでも含まれる。
【０００９】
上記背負いバッグは、子供用の背負いバッグであることが好ましい。
【００１０】
上記背負いバッグには、上記２本の幅広抱っこ紐を丸めて収納できるポケットが設けられ
ている。
【００１１】
上記２本の幅広抱っこ紐の上端部は、該幅広抱っこ紐の先端部が左右に分かれた状態にな
るように上記背負いバッグの底部に固着されていると共に、子供の臀部の半分を包み込む
ことができる程度の幅を有していることが好ましい。また、上記２本の幅広抱っこ紐には
長さ調節用の調節具を取り付けることが好ましい。
【００１２】
本発明の抱っこ紐付き背負いバッグは、この背負いバッグを子供が背中に背負った状態で
子供を対面して抱き上げ、上記背負いバッグのポケットから取り出した幅広抱っこ紐で子
供の臀部を包み込み、幅広抱っこ紐の先端部に取り付けられた第２接続具と背負いバッグ
の肩紐に取り付けられた第１接続具とを結合した状態で肩にかけて子供を固定するように
構成されている。なお、幅広抱っこ紐は最初に肩にかけた後に第１接続具と第２接続具と
を結合してもよい。また、左右に分かれた幅広抱っこ紐は、右側の幅広抱っこ紐は向かっ
て右の肩（左肩）に、左側の幅広抱っこ紐は向かって左の肩（右肩）にかけてもよく、右
側の幅広抱っこ紐を向かって左の肩にかけ、左側の幅広抱っこ紐を向かって右の肩にかけ
るように背中でＸ状にクロスしてかけても良い。
【発明の効果】
【００１３】
本発明の抱っこ紐付き背負いバッグは、２本の肩紐を備えた背負いバッグ、該背負いバッ
グの底面にその一端が固着された２本の幅広抱っこ紐、上記背負いバッグの２本の肩紐に
それぞれ固着された２個の第１接続具、および、上記２本の幅広抱っこ紐の先端部にそれ
ぞれ固着された２個の第２接続具よりなり、上記幅広抱っこ紐の長さは子供を対面して抱
いた人の背中を一周して前で固定できる長さとし、かつ、第１接続具と第２接続具とは互
いに着脱自在に結合できる構造を備えていることを特徴としているので、この背負いバッ
グを背負わせた子供を片手で抱き上げた状態で、空いた方の片手操作で幅広抱っこ紐を容
易に装着することができる。
【００１４】
上記背負いバッグを子供用の背負いバッグとすれば、子供にバッグを背負わせた状態で抱
き上げ、片手操作でそのバッグに付属の幅広抱っこ紐で子供を固定することができる。ま
た、この背負いバッグには、幅広抱っこ紐を丸めて収納できるポケットが設けられている
ので、子供を抱き上げた状態で、このポケットから幅広抱っこ紐を片手操作で取りだすこ
とができるので便利である。
【００１５】
上記２本の幅広抱っこ紐の上端部は、該幅広抱っこ紐の先端部が左右に分かれた状態にな
るように上記背負いバッグの底部に固着されていると共に、子供の臀部の半分を包み込む
ことができる程度の幅を有しているので、この左右に分かれた幅広抱っこ紐を一つずつ子
供の股を通せば、左右の幅広抱っこ紐で子供の臀部全体を包み込むことができ、子供の臀
部に喰い込むことなく、抱っこしている間に、子供の臀部を痛めることがない。
【００１６】
本発明の抱っこ紐付き背負いバッグは、この背負いバッグを子供が背中に背負った状態で
子供を対面して抱き上げ、上記背負いバッグのポケットから取り出した幅広抱っこ紐で子
供の臀部を包み込み、幅広抱っこ紐の先端部に取り付けられた第２接続具と背負いバッグ
の肩紐に取り付けられた第１接続具とを結合した状態で肩にかけて子供を固定するように
構成されているので、子供を下ろして抱っこ補助具をバッグに取り付ける等の下準備をす
ることなく、子供を抱っこしたまま片手操作で容易に幅広抱っこ紐を装着できる効果があ
る。
【図面の簡単な説明】
【００１７】
【図１】本発明の抱っこ紐付き背負いバッグの斜面図。
【図２】本発明の抱っこ紐付き背負いバッグの平面図。
【図３】図２の背面図。
【図４】図２の側面図。
【図５】本発明の抱っこ紐付き背負いバッグの底面から見た斜視図。
【図６】本発明の抱っこ紐付き背負いバッグの第１接続具と第２接続具の結合方法を示す説明図。
【図７】本発明の抱っこ紐付き背負いバッグの第２の実施例を示す背面図。
【図８】本発明の抱っこ紐付き背負いバッグの第３の実施例を示す平面図。
【図９】本発明の抱っこ紐付き背負いバッグの使用方法を示す説明図。
【図１０】本発明の抱っこ紐付き背負いバッグの使用方法を示す説明図。
【図１１】本発明の抱っこ紐付き背負いバッグの使用方法を示す説明図。
【図１２】本発明の抱っこ紐付き背負いバッグの使用方法を示す説明図。
【図１３】本発明の抱っこ紐付き背負いバッグの使用方法を示す説明図。
【発明を実施するための形態】
【００１８】
以下、実施例を参照して本発明の実施の形態を説明する。
【実施例１】
【００１９】
図１〜図５に示されるように、本発明の抱っこ紐付き背負いバッグ１は子供用の背負いバ
ッグ本体１０と幅広抱っこ紐２より構成されている。
背負いバッグ本体１０は２本の肩紐１１、１１と小物入れ１４を備えている。
【００２０】
図２及び図３に示されているように、２本の肩紐１１、１１にはそれぞれ雌型の第１バッ
クル１７、１７が備えられている。また、２本の幅広抱っこ紐２の幅広端部２３は抱き上
げる子供の臀部の半分を覆う程度の幅を有しており、バッグ本体１０の底部１８に重ね合
わせて縫合されて固着されている。そして、２本の幅広抱っこ紐２は、左右に分かれて取
り付けられている。また、左右の幅広抱っこ紐２１、２２のそれぞれの先端部２４には長
さ調整具２７、２７を介して雄型の第２バックル２６、２６が取り付けられている。
【００２１】
また、図５に示されているように底部１８にはポケット１２が設けられ、その中に幅広抱
っこ紐２１、２２を丸めて収容することができる。ポケット１２にはチャック１３が設け
られていて、幅広抱っこ紐２を収容した後閉鎖することができる。
【００２２】
図６に示されるように、第１バックル１７には大小２つの穴が結合した瓢箪状の係止穴１
７１が開けられており、第２バックル２６には先端が膨らんだ突起２６１が設けられてい
る。突起２６１を係止穴１７１の大きな方の穴に入れ、小さな方の穴に引き入れれば、第
１バックル１７と第２バックル２６とは強固に係合される。
【実施例２】
【００２３】
図７には第２の実施例が示されている。幅広抱っこ紐２の幅広端部２３は実施例１の幅広
抱っこ紐と同様に背負いバッグ本体１０の底部１８の幅と略同様な幅を持っているが先に
行くにしたがって細くなり、先端部２４に近くなると幅が広くなった膨大部２５が設けら
れている。この膨大部２５はこの幅広抱っこ紐を抱っこする人が肩にかけた時、丁度この
膨大部２５が肩にあたり、肩に掛る力を柔らかくすることができる。
【実施例３】
【００２４】
図８には第３の実施例が示されている。幅広抱っこ紐２にはその先端部２４の突端よりも
やや内側に第２バックル２６が取り付けられている。
このように第２バックル２６が先端部２４の突端よりも多少内側に取り付けられているの
で、抱っこした人の肩に第２バックル２６が食い込むことなく装着することができる。
【００２５】
次に本発明の抱っこ紐付き背負いバッグの使用方法を説明する。
図９に示すように、抱っこする人３が子供用の背負いバッグ本体１０を背負った子供４を
両手で抱き上げ、背負いバッグ本体１０のポケット１２から幅広抱っこ紐２を片手で取り
出す。次に、図１０に示すように、子供４を左手３４で抱いたまま、左側の幅広抱っこ紐
２１を子供３の股の下を通し、図１１に示されるように、幅広抱っこ紐２１の先端部２４
に取り付けられた第２バックル２６の突起２６１を子供用背負いバッグ本体１０の肩紐１
１に付けられた第１バックル１７の穴１７１に差し込み固定する（図６参照）。次に図１
２に示されるように左側の幅広抱っこ紐２１を右肩３１にかける。次に右手３３で子供を
抱きかかえ、右側の幅広抱っこ紐２２を前と同様にして左肩３２にかける。図１３は両方
の幅広抱っこ紐２１、２２を肩３１、３２にかけ、子供３を固定した状態を示す。
【符号の説明】
【００２６】
１  抱っこ紐付き背負いバッグ
１０  背負いバッグ本体
１１  肩紐
１２  ポケット
１３  チャック
１７  第１バックル
１７１  係止穴
１８  底部
２  幅広抱っこ紐
２１  左側抱っこ紐
２２  右側抱っこ紐
２３  幅広端部
２４  先端部
２６  第２バックル
２６１  突起
２７  調節具
【図１】
2014217452.tif 000003
【図２】
2014217452.tif 000004
【図３】
2014217452.tif 000005
【図４】
2014217452.tif 000006
【図５】
2014217452.tif 000007
【図６】
2014217452.tif 000008
【図７】
2014217452.tif 000009
【図８】
2014217452.tif 000010
【図９】
2014217452.tif 000011
【図１０】
2014217452.tif 000012
【図１１】
2014217452.tif 000013
【図１２】
2014217452.tif 000014
【図１３】
2014217452.tif 000015